(57)【要約】【課題】  家具と天井等の間に簡単且つ容易に設置でき、支持強度及び突張強度が強く耐震性にも優れ、また美的外観がよい突張具を提供する。【解決手段】  下受台２に固着した支持ボルト６に上下方向に移動可能に挿入された側部に切欠溝１０が形成されたアジャストブッシュ７と、切欠溝１０にスプリング１２を介して出没する操作ネジコマ１１と、アジャストブッシュ７に装着されて上端に上受台４が装着される支持パイプ８と、支持パイプ８の外側に嵌装されて操作ネジコマ１１とアジャストブッシュ７外周面を案内にして上下摺動して操作ネジコマ１１を出没させる操作パイプ１４とを備えた。【選択図】    図２
2007068674.tif 000002
【特許請求の範囲】
【請求項１】
下受台と上受台との間に伸縮可能な軸状の支持部材を架装した突張具において、前記支持部材が、前記下受台に固着した支持ボルトと、この支持ボルトに上下方向に移動可能に挿入された側部に切欠溝が形成されたアジャストブッシュと、前記切欠溝にスプリングを介して出没する操作ネジコマと、前記アジャストブッシュに装着されて上端に前記上受台が装着される支持パイプと、前記支持パイプの外側に嵌装されて前記操作ネジコマと前記アジャストブッシュ外周面を案内にして上下摺動して操作ネジコマを出没させる操作パイプとからなることを特徴とする突張具。
【請求項２】
下受台と上受台との間に伸縮可能な軸状の支持部材を架装した突張具において、前記支持部材が、前記下受台に固着した支持パイプと、この支持パイプに装着される側部に切欠溝が形成されたアジャストブッシュと、前記切欠溝にスプリングを介して出没する操作ネジコマと、上端を前記上受台への装着部とした前記アジャストブッシュに上下方向に移動可能に挿入された支持ボルトと、前記操作ネジコマと前記アジャストブッシュ外周面を案内にして上下摺動して操作ネジコマを出没させる操作パイプとからなることを特徴とする突張具。
【請求項３】
前記支持部材と上受台は、突面と凹面が接するユニバーサル接合構造になっている請求項１または２記載の突張具。
【請求項４】
前記ユニバーサル接合構造は、支持部材上に設けられた球形突面を有する受具と上受台下に設けられた球形凹面を有する受板が接合している請求項３記載の突張具。
【請求項５】
前記ユニバーサル接合構造は、支持部材上に設けられたテーパ状突面を有する受具と上受台下に設けられた円形凹面を有する受板が接合している請求項３記載の突張具。
【発明の詳細な説明】
【技術分野】
【０００１】
本発明は、地震による家具や箪笥等の転倒を防止するために家具と天井との間に介装される突張具に関するものである。
【背景技術】
【０００２】
従来、地震による家具や箪笥等の転倒を防止する手段の１つとして下受台と上受台との間に伸縮可能な軸状の支持部材を架装し、家具と天井との間に介装される突張具が知られており、例えば、図９及び図１０に示すものが知られている。
【０００３】
図９に示す突張具は、下受台５２上に支持ボルト５３を固定し、その支持ボルト５３に調整ネジ５４を取付けて支持ボルト５３の上部側にネジ孔５５ａが形成された支持パイプ５５を取付け、一方上受台５６下に支柱パイプ５７を固定して支持パイプ５５と支柱パイプ５７とを嵌合して、ネジ孔５５ａに取付けた固定ネジ５８で係止する形式のものである。
【０００４】
そして、家具等と天井との間に設置する際には、必要な長さに応じて嵌合する支持パイプ５５と支柱パイプ５７を引き伸ばし、ネジ孔５５ａに固定ネジ５８を締め付けて適当な長さにして家具と天井等の間に設置し、その後調整ネジ５４を回動して上受台５６を上下し、突張長さを調整するものである。
【０００５】
また、図１０に示す突張具は、下受台６２上に支持ボルト６３を固定し、その支持ボルト６３に調整ネジ６４を取付けて支持ボルト６３の上部側に調整孔６５ａが複数形成された支持パイプ６５を取付け、一方上受台６６下に調整孔６７ａが複数形成された支柱パイプ６７を固定し、支持パイプ６５と支柱パイプ６７を嵌合し、一致する調整孔６５ａと調整孔６７ａに差込みピン６８を差込んで係止する形式のものである。
【０００６】
そして、家具と天井等の間に設置する際には、必要な長さに応じて嵌合する支持パイプ６５と支柱パイプ６７を引伸ばし、一致する調整孔６５ａと調整孔６７ａに差込みピン６８を差し込んで適当な長さにして家具と天井等の間に設置し、その後調整ネジ６４を回動して上受台６６を上下し、突張長さを調整している。いずれの突張具も、初めに引伸ばして天井に接する長さに調整し、その後調整ネジの操作によって、必要な長さにすることができる。
【０００７】
しかしながら、前記従来の突張具は、いずれの場合も、支持パイプと支柱パイプが分離されているので、両者を結合する必要があり、その結合作業を家具等の高所で行うのは適当でない。そのため、予め地表で支持パイプと支柱パイプを結合してある程度の長さにし、その後調整ネジの操作により所定の長さにしている。
【０００８】
従って、取付け作業が面倒で、突張具を家具と天井等の間に簡単且つ容易に設置することは困難である。また、支持パイプと支柱パイプの結合が、差込みピン又は固定ネジによる接合で、一本のピン又はネジで止めている。つまり、点の状態で両パイプが支持されている。従って、突張具の支持強度が弱く、耐震性にも欠ける。
【０００９】
また、上受台は、支柱パイプ上に可動できない状態で水平に固定されている。そのため、家具や天井等が傾斜している場合には、上・下受台が傾斜に対応できず、家具や天井等に密着できない。従って、密着強度が弱く、突張強度も小さい。それに、突張具が家具と天井等の間に垂直に支持できず、支持強度も弱い。また、差込ピンや固定ネジが、支持パイプや支柱パイプの側面から突出した状態に設けられている。従って、突張具が美的でなく、外観もよくない。
【発明の開示】
【発明が解決しようとする課題】
【００１０】
本発明は、上記のような問題点を解決しようとするものであり、家具と天井等の間に簡単且つ容易に設置でき、支持強度及び突張強度が強く耐震性にも優れ、また美的外観にも優れた突張具を提供することを課題としている。
【課題を解決するための手段】
【００１１】
前記課題を解決するためになされた本発明は、下受台と上受台との間に伸縮可能な軸状の支持部材を架装した突張具において、前記支持部材が、前記下受台に固着した支持ボルトと、この支持ボルトに上下方向に移動可能に挿入された側部に切欠溝が形成されたアジャストブッシュと、前記切欠溝にスプリングを介して出没する操作ネジコマと、前記アジャストブッシュに装着されて上端に前記上受台が装着される支持パイプと、前記支持パイプの外側に嵌装されて前記操作ネジコマと前記アジャストブッシュ外周面を案内にして上下摺動して操作ネジコマを出没させる操作パイプとからなることを特徴とする。
【００１２】
もう１つの発明は、下受台と上受台との間に伸縮可能な軸状の支持部材を架装した突張具において、前記支持部材が、前記下受台に固着した支持パイプと、この支持パイプに装着される側部に切欠溝が形成されたアジャストブッシュと、前記切欠溝にスプリングを介して出没する操作ネジコマと、上端を前記上受台への装着部とした前記アジャストブッシュに上下方向に移動可能に挿入された支持ボルトと、前記操作ネジコマと前記アジャストブッシュ外周面を案内にして上下摺動して操作ネジコマを出没させる操作パイプとからなることを特徴とする。
【００１３】
また、前記各発明において、前記支持部材と上受台は、突面と凹面が接するユニバーサル接合構造になっていると好ましく、前記ユニバーサル接合構造は、支持部材上に設けられた球形突面を有する受具と上受台下に設けられた球形凹面を有する受板が接合している構成、支持部材上に設けられたテーパ状突面を有する受具と上受台下に設けられた円形凹面を有する受板が接合している構成が適している。
【発明の効果】
【００１４】
本発明によれば、操作パイプにより、操作ネジコマがアジャストブッシュの切欠溝に出没し、操作ネジコマが突出しているときは操作ネジコマが支持ボルトとの係合状態が解除されているので支持部材は自由に伸縮し、操作ネジコマが没入しているときは操作ネジコマが支持ボルトと係合状態になり、支持部材が回転によって支持ボルトのねじ目に沿って微細に螺進しながら伸縮する。従って、単なる操作パイプの上下操作によって支持部材が２段階に伸縮するので取り付けが容易かつ確実である。また、調整ネジや調整ピンなどの突起物がないので、美的外観もよい。
【００１５】
更に、支持部材が支持ボルトとアジャストブッシュと支持パイプが一体になり、或いは、支持部材が支持パイプとアジャストブッシュと支持ボルトが一体になった軸棒で構成されている。従って、支持部材の強度は大きく、また構造も簡単である。
【００１６】
更に、支持部材と上受台がユニバーサル接合構造になっている。従って、突張具を設置した家具や天井等が傾斜しても、上受台がその傾斜に応じて傾斜して、家具と天井等の間に突張具が密着して垂直に支持することができ、強い突張強度が得られる。
【００１７】
特に、上受台と支持部材がユニバーサル接合構造になっていることから、支持部材が下受台を軸受にして垂直状態となり円滑に回動できる。従って、突張具の長さ調整の際、円滑な回動によって、調整が適確に行われる。
【００１８】
前記ユニバーサル接合構造が球形突面を有する受具と球形凹面を有する受板との接合構造であるから、家具や天井等が傾斜しても、上受台が傾斜して適切に対応し、また広い面接触で支持して充分な支持力が得られる。
【００１９】
前記ユニバーサル接合構造がテーパ状突面を有する受具と円形凹面を有する受板との接合構造であるから、家具や天井等が傾斜しても、同様に上受台が傾斜して適切に対応して、充分な支持力が得られる。
また、受具の突面と受板の凹面が、曲面を含まない比較的平坦的な面形状となっているので、加工し易く安価に製造できる。
【発明を実施するための最良の形態】
【００２０】
以下、図面に示した本発明の実施の形態について、説明する。
【００２１】
図１は、第１発明の好ましい実施の形態に係る突張具の分解斜視図、図２はその突張具の断面図、図３は突張具を伸ばした状態の断面図、図４（ａ），（ｂ）は突張具の異なる伸縮状態に切換えた要部断面図、図５（ａ），（ｂ）は図４（ａ）Ａ−Ａ断面図及び図４（ｂ）のＢ−Ｂ断面図である。
【００２２】
この実施形態の突張具１は、基本的には従来の突張具と同様に、下受台２と上受台４との間に伸縮可能な支持部材３を架装したものである。
【００２３】
そして、支持部材３は、前記下受台２に固着した支持ボルト６と、この支持ボルト６に上下方向に移動可能に挿入された側部に切欠溝１０が形成されたアジャストブッシュ７と、前記切欠溝１０にスプリング１２を介して出没する操作ネジコマ１１と、前記アジャストブッシュ７に装着されて上端に前記上受台４が装着される支持パイプ８と、前記支持パイプ８の外側に嵌装されて前記操作ネジコマ１１と前記アジャストブッシュ７外周面を案内にして上下摺動して操作ネジコマ１１を出没させる操作パイプ１４とから構成される。
【００２４】
更に詳しく説明すると、下受台２は台形立体状の受台からなり、頂部に円筒部２ａが設けられて、その円筒部２ａ内に円溝２ｂが形成されている。
【００２５】
支持ボルト６は棒状の垂直ボルトで、その下部には下受台２の円溝２ｂに嵌合したボルト受９を介して下受台２にほぼ垂直状態で固定されており、アジャストブッシュ７は、支持ボルト６が挿入孔７ａに挿入して支持されている。
【００２６】
アジャストブッシュ７は上部が小径になった短い円筒で、側面部に支持ボルト６の一部が露出する切欠溝１０が形成されている。アジャストブッシュ７上には、支持パイプ８が固定されている。また、支持ボルト６の先端には、ストッパ６ａが設けられ、アジャストブッシュ７に固定している支持パイプ８が支持ボルト６から外れるのを防止している。
【００２７】
アジャストブッシュ７の切欠溝１０には、半円形状の操作ネジコマ１１がスプリング１２を介して出没可能に装着されている。この操作ネジコマ１１には、操作ネジコマ１１が切欠溝１０に没入した時に支持ボルト６と螺着するネジ溝１１ａが形成されている。また、操作ネジコマ１１が切欠溝１０から抜け出すのを防止するために、操作ネジコマ１１側に形成されたピン孔１１ｂにアジャストブッシュ７側に固定されたピン７ｂが挿入されている。
【００２８】
アジャストブッシュ７の外周には、上端にガイドカラー１３が固定された操作パイプ１４が摺動可能に装着されて、操作パイプ１４の摺動操作により、操作パイプ１４の下端が操作ネジコマ１１の外周面に当接して切欠溝１０に操作ネジコマ１１が出没するようになっている。そのため、当接する操作ネジコマ１１の外周面は、抵抗が少ないテーパ面になっている。
【００２９】
支持パイプ８の上端には、球形突面１５ａを有する受具１５が固着されている。
【００３０】
一方、支持部材３に支持される上受台４は、下受台２とは逆の台形立体状の受台で、下部に円筒部４ａが設けられ、円筒部４ａ内には円溝４ｂが形成されている。その円溝４ｂ内には、球形突面１５ａに対応する球形凹面１６ａを有する受板１６が固着されている。
【００３１】
そして、支持パイプ８の上に、球形突面１５ａを有する受具１５と球形凹面１６ａを有する受板１６が接合して上受台４が支持されている。即ち、下受台２より支持された支持部材３上に、球形突面１５ａと球形凹面１６ａが接するユニバーサル接合構造で上受台４が接合されている。
【００３２】
そして、上述の突張具１を使用するには、先ず家具等の上に、図２に示す設置前の短くした状態の突張具１を置いて、操作パイプ１４又は支持パイプ８を把持して、天井側（上方）に持上げる。この状態では、支持ボルト６と切欠溝１０内の操作ネジコマ１１は、図４（ａ），図５（ａ）に示すようにスプリング１２の付勢力により離れて係合してないので、支持部材３を大きく自由に伸縮させて上受台４を天井に接触できる。
【００３３】
次いで、上受台４が天井に接触した時点で、支持パイプ８を一方の手で把持し、他方の手で操作パイプ１４を押下げる。この操作により、操作パイプ１４の下端が操作ネジコマ１１に当接し、続いて操作パイプ１４の内周面によってスプリング１２の付勢力に抗して操作ネジコマ１１は切欠溝１０内に押込まれる。この時点で、支持ボルト６と切欠溝１０内の操作ネジコマ１１は、図４（ｂ），図５（ｂ）に示すように係合（螺合）して操作パイプ１４（または支持パイプ８）を支持ボルト６を中心として回転させることで支持部材３を支持ボルト６のネジに沿って細かく正確に伸縮できる状態になる。
【００３４】
更に、操作パイプ１４を押下げると、操作パイプ１４が下受台２に収容されたボルト受９に嵌着して、支持部材３の補強を兼ねる。この状態で、支持パイプ８を軽く回動（時計方向に回転)すると、支持パイプ８が上昇し、図３に示すような長く伸びた突張具１で家具と天井等の間を突張ることができる。
【００３５】
家具や天井等が傾斜している場合でも、支持部材３と上受台４との接合が、球形突面１５ａを有する受具１５と球形凹面１６ａを有する受板１６が接する接合構造であることから、上受台４がユニバーサルに可動する。即ち、更に、支持部材３と上受台４がユニバーサル接合構造になっている。従って、突張具１を設置した家具や天井等が傾斜しても、上受台４がその傾斜に応じて傾斜して、家具と天井等の間に突張具が密着して垂直に支持することができ、強い突張強度が得られる。
【００３６】
特に、上受台４と支持部材３とがユニバーサル接合構造になっていることから、支持部材３が下受台２を軸受にして垂直状態となり円滑に回動できる。従って、支持部材３の長さ調整の際、円滑な回動によって、調整が適確に行われる。また、下受台２及び上受台４の広い接触面で家具と天井等に面接触して、充分な支持力が得られる。従って、突張具１により家具等を強力に規制して転倒を防止し、地震の際に強い効果が発揮できる。
【００３７】
図６は、本発明の他の実施形態の突張具について，その要部を示したもので、（ａ）はその要部断面図、（ｂ）は（ａ）のＣ−Ｃの断面図あり、実施形態の突張具２１は前実施形態と略同様で支持部材２３が、支持ボルト２６とアジャストブッシュ２７と支持パイプ２８で構成されているが、アジャストブッシュ２７上にはアジャストカラー２５を固着した支持パイプ２８が回動可能に嵌着され、アジャストブッシュ２７とアジャストカラー２５の間にはアジャストブッシュ２７が抜け落ちないようにストッパリング２９が介装されている。
【００３８】
アジャストブッシュ２７には切欠溝２０が形成され、その切欠溝２０にはスプリングを介して操作ネジコマ２２が出没可能に装着されている。操作ネジコマ２２には、ネジ２２ａとピン孔２２ｂが形成され、またピン孔２２ｂにはピン２７ｂが装入し、操作ネジコマ２２が抜けるのを防止している。
【００３９】
アジャストブッシュ２７の外周面には、垂直方向に突起２７ａが設けられ、一方アジャストブッシュ２７の外周に装着された操作パイプ２４には突起２７ａに対応して垂直方向に延びる凹溝２４ａが設けられ、操作パイプ２４が係合する突起２７ａと凹溝２４ａを案内にして上下に摺動可能となっている。
【００４０】
そして、突起２７ａと凹溝２４ａが係合し、操作パイプ２４がアジャストブッシュ２７の外周上を上下に摺動し、またアジャストブッシュ２７と操作パイプ２４は係合する突起２７ａと凹溝２４ａで一体的になって、操作パイプ２４の回動によってアジャストブッシュ２７も回動するようになっている。なお、アジャストブッシュ２７側に設けた突起２７ａと操作パイプ２４側に設けた凹溝２４ａは、設ける側を逆にしてもよい。
【００４１】
従って、操作パイプ２４を押し下げて操作ネジコマ２２を切欠溝２０に装入して異なる伸縮状態に切換えた際に、操作ネジコマ２２を介して支持ボルト２６に螺着するアジャストブッシュ２７が操作パイプ２４の回動によって回動されて、支持部材３が細かく正確に伸縮できる。
【００４２】
また、図７は、支持部材と上受台との接合構造の他の実施形態を示した断面図である。
【００４３】
この実施形態では、支持部材３の支持パイプ３３上に、テーパ状突面３５ａを有する受具３５が設けられている。一方上受台３４下には、円形凹面３６ａを有する受板３６が設けられている。そして、テーパ状突面３５ａを有する受具３５と円形凹面３６ａを有する受板３６が接合して、支持パイプ３３上に上受台３４が装着される。
【００４４】
この実施形態の場合も、上受台３４と支持部材３とがユニバーサル接続構造を形成して、家具や天井等が傾斜しても、支持部材３が下受台（図示せず）に対して垂直状態を保ち、伸縮機能が有効に作動するばかりか、傾斜に適切に対応し、また、広い面接触で支持して充分な支持力が得られる。また、受具３５の突面３５ａや受板３６の凹面３６ａの面部がテーパ状又は円形の平面的な面で、曲面部分がないことからから、加工し易く安価に製造できる。
【００４５】
図８は、異なる発明についての実施形態を示した断面図である。
この実施形態のものは、支持部材３が前記図１乃至図５に示した実施形態の支持部材３を逆にした構造の突張具４１で、上部側構造が若干異なっている。その他の部分は、略同様である。
【００４６】
更に、詳しく説明すると、支持部材３は、下受台４２に固着した支持パイプ４８と、この支持パイプ４８に装着される側部に切欠溝５１が形成されたアジャストブッシュ４７と、前記切欠溝５１にスプリングを介して出没する操作ネジコマ５２と、上端を上受台４４への装着部とする前記アジャストブッシュ４７に上下方向に移動可能に挿入された支持ボルト４６と、前記操作ネジコマ５２と前記アジャストブッシュ４７外周面を案内にして上下摺動して操作ネジコマ５２を出没させる操作パイプ５０とから構成される。
【００４７】
この実施形態も前記図１乃至図５に示した実施形態の場合と同様な使用方法により同様な作用・効果を得ることが可能であるが、この実施形態では、支持部材３が下受台４２側から支持パイプ４８とアジャストブッシュ４７と支持ボルト４６が一体になった軸棒で構成され、下方側が太くなった軸棒になっている。従って、軸の強度が高く、充分な支持強度が得られる。
【００４８】
また、上受台４４と支持部材３との接合がユニバーサル接合構造になっているので、前記各実施形態と同じ作用・効果を発揮し、傾斜に応じて傾き、下受台４２と上受台４４が家具や天井等に密着して垂直に突張ることができ、強い支持強度が得られる。
【００４９】
尚、前記各実施形態では、アジャストブッシュ７（２７，４７）に１つの切欠溝１０（５１）を形成して、これに操作ネジコマ１１（２２，５２）を出没自在に配置したが、切欠溝と操作ネジコマ１１は例えば２組を支持ボルト６（２６，４６）を挟んで対向配置し、或いは支持ボルト６（２６，４６）を中心として更に多くの複数組を放射状に配置してもよく、これらの場合には、操作ネジコマ１１と支持ボルト６（２６，４６）との係合がより強固となり、更に安定した突張具とすることができる。
【００５０】
更に、本発明である突張具は、家具等の突張具として使用するが、軽い物を載せる棚の脚として、その他突張を必要とする所の突張具として利用することもできる。
【図面の簡単な説明】
【００５１】
【図１】本発明の一実施の形態に係る突張具の分解斜視図である。
【図２】その突張具の断面図である。
【図３】突張具を伸ばした状態の断面図である。
【図４】突張具の異なる伸縮状態に切換えた各要部断面図である。
【図５】図４のＡ−Ａ断面図及びＢ−Ｂ断面図である。
【図６】他の実施形態の突張具の要部断面図及びそのＣ−Ｃ断面図である。
【図７】支持部材と上受台との接合構造の他の実施形態を示した断面図である。
【図８】他の実施形態を示した断面図である。
【図９】従来の突張具の断面図である。
【図１０】従来の他の突張具の断面図である。
【符号の説明】
【００５２】
１，２１，４１  突張具、  ２，４２  下受台、  ３，４３  支持部材、  ４，３４，４４  上受台、  ６，２６，４６  支持ボルト、  ７，２７，４７  アジャストブッシュ、  ８，２８，４８  支持パイプ、  １０，５１  切欠溝、  １１，２２，５２  操作ネジコマ、  １２  スプリング、  １４，５０  操作パイプ、  １５，３５，４５  受具、  １６，３６  受板、  １５ａ，３６ａ  突面、  １６ａ，３６ａ  凹面
【図１】
2007068674.tif 000003
【図２】
2007068674.tif 000004
【図３】
2007068674.tif 000005
【図４】
2007068674.tif 000006
【図５】
2007068674.tif 000007
【図６】
2007068674.tif 000008
【図７】
2007068674.tif 000009
【図８】
2007068674.tif 000010
【図９】
2007068674.tif 000011
【図１０】
2007068674.tif 000012